(57)【要約】【課題】画質を高めることができる画像処理装置を得る。【解決手段】一連のフレーム画像のうちの所定数のフレーム画像に基づいて画像領域の領域形状を求める領域取得部と、領域形状に基づいて、所定の画像処理を行う画像処理部とを備える。【選択図】図１
2013217955.tif 000002
【特許請求の範囲】
【請求項１】
一連のフレーム画像のうちの所定数のフレーム画像に基づいて画像領域の領域形状を求める領域取得部と、
前記領域形状に基づいて、所定の画像処理を行う画像処理部と
備えた画像処理装置。
【請求項２】
前記領域取得部は、前記所定数のフレーム画像のそれぞれにおいて、複数の画素座標における輝度情報をサンプリングし、その輝度情報に基づいて前記領域形状を求める
請求項１に記載の画像処理装置。
【請求項３】
前記複数の画素座標は、各フレーム画像を構成する全画素のうちの一部の画素の座標である
請求項２に記載の画像処理装置。
【請求項４】
前記複数の画素座標は、前記所定数のフレーム画像において固定されている
請求項３に記載の画像処理装置。
【請求項５】
一のフレーム画像における前記複数の画素座標は、他のいずれか一のフレーム画像における前記複数の画素座標と異なる
請求項３に記載の画像処理装置。
【請求項６】
前記領域取得部は、前記所定数のフレーム画像のそれぞれに基づいて画像領域の暫定領域形状を求め、複数の前記暫定領域形状に基づいて前記領域形状を求める
請求項３に記載の画像処理装置。
【請求項７】
前記領域取得部は、前記複数の画素座標のそれぞれにおいて、前記所定数のフレーム画像における前記輝度情報から合成輝度情報を求め、その合成輝度情報に基づいて前記領域形状を求める
請求項４に記載の画像処理装置。
【請求項８】
前記複数の画素座標は、前記所定数のフレーム画像間で互いに異なる
請求項３に記載の画像処理装置。
【請求項９】
前記領域取得部は、前記所定数のフレーム画像における前記輝度情報に基づいて合成画像を生成し、その合成画像に基づいて前記領域形状を求める
請求項８に記載の画像処理装置。
【請求項１０】
前記領域取得部は、前記所定数のフレーム画像のそれぞれに基づいて、輝度情報が黒レベルである画素座標を表す部分マップを求め、前記所定数のフレーム画像から求めた前記部分マップに基づいて合成マップを生成し、その合成マップに基づいて前記領域形状を求める
請求項８に記載の画像処理装置。
【請求項１１】
前記複数の画素座標は、１または複数の線を構成する
請求項３に記載の画像処理装置。
【請求項１２】
前記領域取得部は、前記所定数のフレーム画像から前記領域形状を求めた後、その動作を停止する
請求項２に記載の画像処理装置。
【請求項１３】
前記領域取得部は、前記一連のフレーム画像のうちの１のフレーム画像において、複数の画素座標における輝度情報をサンプリングし、その輝度情報に基づいて前記領域形状を求める
請求項１に記載の画像処理装置。
【請求項１４】
前記複数の画素座標は、各フレーム画像を構成する全画素の座標である
請求項２に記載の画像処理装置。
【請求項１５】
前記画像処理部は、各フレーム画像の前記画像領域における輝度情報に基づいて、そのフレーム画像に対して画像処理を行う
請求項１に記載の画像処理装置。
【請求項１６】
一連のフレーム画像のうちの所定数のフレーム画像に基づいて画像領域の領域形状を求め、その領域形状に基づいて、所定の画像処理を行う
画像処理方法。
【請求項１７】
一連のフレーム画像のうちの所定数のフレーム画像に基づいて画像領域の領域形状を求める領域取得部と、
前記領域形状に基づいて、所定の画像処理を行う画像処理部と、
前記所定の画像処理が施された画像を表示する表示部と
を備えた表示装置。
【請求項１８】
画像処理装置と、
前記画像処理装置を利用した動作制御を行う制御部と
を備え、
前記画像処理装置は、
一連のフレーム画像のうちの所定数のフレーム画像に基づいて画像領域の領域形状を求める領域取得部と、
前記領域形状に基づいて、所定の画像処理を行う画像処理部と
を有する
電子機器。
【発明の詳細な説明】
【技術分野】
【０００１】
本開示は、画像信号に対して画像処理を行う画像処理装置、画像処理方法、およびそのような画像処理装置を備えた表示装置ならびに電子機器に関する。
【背景技術】
【０００２】
近年、表示装置は、画質や消費電力などの観点から、液晶表示装置、プラズマ表示装置、有機ＥＬ表示装置などの様々な種類のものが開発されており、それらの特性に応じて、据置型の表示装置の他、携帯電話、携帯型情報端末など、様々な電子機器に適用されている。また、スクリーンなどに映像を投影することにより映像の表示を行う、投影型表示装置（プロジェクタ）のような表示装置もある。これらの表示装置には、一般に、映像信号に基づいて所定の処理を行うことにより画質を高める画像処理回路（画像処理装置）が搭載されている。そのような画像処理回路としては、例えば、映像信号から輝度情報の最大値、最小値、平均輝度レベルなど（以下、特徴量ともいう）を取得し、それに基づいて処理を行うものがある。
【０００３】
このような画像処理回路には、様々な映像が入力される。具体的には、例えば、表示画面のアスペクト比と異なるアスペクト比を有する映像が入力される場合や、投影型表示装置で表示するためのキーストーン補正が行われた映像が入力される場合がある。このような場合には、本来の映像が表示される領域（映像領域）の周辺部に、黒色を示す領域（無映像領域）が生成されることとなるため、画像処理回路は、この黒色を示す領域を除いた、本来の映像が表示される映像領域において、特徴量を取得する必要がある。例えば、特許文献１には、画像の中央部などに配置された予め定められた領域における平均輝度レベルを検出し、その平均輝度レベルに基づいてバックライトの発光輝度を変調する液晶表示装置が開示されている。また、例えば、特許文献２には、レターボックス型など、予め定められた形状の映像領域を検出し、その映像領域における平均輝度レベルに基づいてバックライトの発光輝度を変調する液晶表示装置が開示されている。
【先行技術文献】
【特許文献】
【０００４】
【特許文献１】特開２００５−３４６０３２号公報
【特許文献２】特開２００７−１４０４８３号公報
【発明の概要】
【発明が解決しようとする課題】
【０００５】
表示装置では、高画質の実現が期待されており、このような表示装置に用いられる画像処理装置では、さらなる画質の向上が望まれている。
【０００６】
本開示はかかる問題点に鑑みてなされたもので、その目的は、画質を高めることができる、画像処理装置、画像処理方法、表示装置、および電子機器を提供することにある。
【課題を解決するための手段】
【０００７】
本開示の画像処理装置は、領域取得部と、画像処理部とを備える。領域取得部は、一連のフレーム画像のうちの所定数のフレーム画像に基づいて画像領域の領域形状を求めるものである。画像処理部は、領域形状に基づいて、所定の画像処理を行うものである。
【０００８】
本開示の画像処理方法は、一連のフレーム画像のうちの所定数のフレーム画像に基づいて画像領域の領域形状を求め、その領域形状に基づいて、所定の画像処理を行うものである。
【０００９】
本開示の表示装置および電子機器は、上記画像処理装置を備えたものであり、例えば、プロジェクタ、テレビジョン装置、デジタルカメラ、パーソナルコンピュータ、ビデオカメラあるいは携帯電話等の携帯端末装置などが該当する。
【００１０】
本開示の画像処理装置、画像処理方法、表示装置、および電子機器では、一連のフレーム画像における画像領域の領域形状に基づいて、所定の画像処理が行われる。その際、一連のフレーム画像のうちの所定数のフレーム画像から、画像領域の領域形状が求められる。
【発明の効果】
【００１１】
本開示の画像処理装置、画像処理方法、表示装置、および電子機器によれば、画像領域の領域形状を求めるようにしたので、画質を高めることができる。
【図面の簡単な説明】
【００１２】
【図１】本開示の実施の形態に係るプロジェクタの一構成例を表すブロック図である。
【図２】キーストーン補正の一例を表す説明図である。
【図３】図１に示したキーストーン補正部における演算処理の一例を表す説明図である。
【図４】図１に示した映像処理部の入力信号を表すタイミング波形図である。
【図５】図１に示した輝度情報取得部および制御部の一動作例を表す説明図である。
【図６】第１の実施の形態に係る映像領域取得部の一構成例を表すブロック図である。
【図７】図１に示した映像処理部の一動作例を表す説明図である。
【図８】第１の実施の形態に係る映像領域取得部の一動作例を表す模式図である。
【図９】第１の実施の形態に係る映像領域取得部の他の動作例を表すタイミング波形図である。
【図１０】第１の実施の形態の変形例に係る輝度情報取得部および制御部の一動作例を表す説明図である。
【図１１】第１の実施の形態の変形例に係る輝度情報取得部および制御部の他の動作例を表す説明図である。
【図１２】第１の実施の形態の変形例に係る映像処理部の一動作例を表す説明図である。
【図１３】第２の実施の形態に係る映像領域取得部の一構成例を表すブロック図である。
【図１４】第２の実施の形態に係る映像領域取得部の一動作例を表す模式図である。
【図１５】第２の実施の形態の変形例に係る映像領域取得部の一動作例を表す模式図である。
【図１６】第３の実施の形態に係る輝度情報取得部および制御部の一動作例を表す説明図である。
【図１７】第３の実施の形態に係る映像領域取得部の一構成例を表すブロック図である。
【図１８】第３の実施の形態に係る映像領域取得部の一動作例を表す模式図である。
【図１９】第４の実施の形態に係る映像領域取得部の一構成例を表すブロック図である。
【図２０】第４の実施の形態に係る映像領域取得部の一動作例を表す模式図である。
【図２１】実施の形態に係る映像処理部を適用したテレビジョン装置の外観構成を表す斜視図である。
【図２２】変形例に係るプロジェクタの一構成例を表すブロック図である。
【図２３】変形例に係る映像処理部の一構成例を表すブロック図である。
【発明を実施するための形態】
【００１３】
以下、本開示の実施の形態について、図面を参照して詳細に説明する。なお、説明は以下の順序で行う。
１．第１の実施の形態
２．第２の実施の形態
３．第３の実施の形態
４．第４の実施の形態
５．適用例
【００１４】
＜１．第１の実施の形態＞
［構成例］
（全体構成例）
図１は、第１の実施の形態に係るプロジェクタの一構成例を表すものである。プロジェクタ１は、スクリーン９に映像を投影することにより映像の表示を行う投影型表示装置である。なお、本開示の実施の形態に係る画像処理装置、および画像処理方法は、本実施の形態により具現化されるので、併せて説明する。
【００１５】
プロジェクタ１は、映像入力部１１と、キーストーン補正部１２と、映像処理部１３と、映像投影部１４とを備えている。
【００１６】
映像入力部１１は、ＰＣ（Personal Computer）などの外部機器から映像信号を入力するためのインターフェースである。映像入力部１１は、入力した映像信号を、映像信号ＶＲ０，ＶＧ０，ＶＢ０、およびその映像信号ＶＲ０，ＶＧ０，ＶＢ０に同期した同期信号Ｓync0として、キーストーン補正部１２に供給するようになっている。
【００１７】
キーストーン補正部１２は、映像入力部１１から供給された映像信号に基づき、スクリーン９における表示画像が例えば台形状に歪まないように、キーストーン補正の演算処理を行うものである。
【００１８】
図２は、キーストーン補正の効果の一例を表すものであり、（Ａ）はプロジェクタ１の配置を示し、（Ｂ）はキーストーン補正を行わない場合のスクリーン９における表示画像を示し、（Ｃ）はキーストーン補正を行った場合のスクリーン９における表示画像を示す。
【００１９】
図２（Ａ）に示したように、例えばプロジェクタ１をテーブル上に設置した場合には、なんら補正を行わずにそのまま画像を投影すると、表示画像は、図２（Ｂ）に示したように台形状に歪んでしまうおそれがある。具体的には、例えば、表示画像は、上にいくほど、図２（Ａ）に示したようにプロジェクタ１とスクリーン９との間の距離が長いため、図２（Ｂ）に示したように水平方向に拡大され、一方、下にいくほど、図２（Ａ）に示したようにプロジェクタ１とスクリーン９との間の距離が短いため、図２（Ｂ）に示したように水平方向に縮小されてしまう。すなわち、この台形状の歪みは、図２（Ａ）に示したように、プロジェクタ１とスクリーン９との相対的な位置関係に起因して生じるものである。キーストーン補正部１２は、スクリーン９における表示画像にこのような歪みが生じないように、すなわち、図２（Ｃ）に示したような本来の矩形状の画像が表示されるように、予め画像を補正するようになっている。
【００２０】
図３は、キーストーン補正部１２における演算処理の一例を表すものであり、（Ａ）はキーストーン補正部１２に入力される画像を示し、（Ｂ）はキーストーン補正部１２から出力される画像を示す。
【００２１】
キーストーン補正部１２は、図３（Ａ）に示した画像に対してキーストーン補正の演算処理を行うことにより、図３（Ｂ）に示した画像を生成する。具体的には、この例では、キーストーン補正部１２は、図３（Ａ）に示した矩形状の画像に対して、図３（Ｂ）に示したように、画像の上にいくほど水平方向（ｘ方向）に縮小し、下にいくほど水平方向に拡大するとともに、画像全体を垂直方向（ｙ方向）に縮小することにより、画像を歪ませる。すなわち、キーストーン補正部１２は、入力された画像（図３（Ａ））を、図２（Ｂ）に示した台形形状と上下が反転したような台形形状になるように歪ませる。そして、キーストーン補正部１２は、その台形形状の領域（映像領域Ａ）以外の領域（無映像領域）における輝度情報を所定の値（例えば０（黒））にする。これにより、プロジェクタ１は、画像の歪みが互いに相殺されるため、スクリーン９において図２（Ｃ）に示したような本来の矩形状の画像を表示することができる。
【００２２】
キーストーン補正部１２は、映像入力部１１から供給された映像信号に基づき、このようなキーストーン補正の演算処理を行うことにより、映像信号ＶＲ１，ＶＧ１，ＶＢ１を生成する。この映像信号ＶＲ１，ＶＧ１，ＶＢ１は、それぞれ、赤色（Ｒ）、緑色（Ｇ）、青色（Ｂ）の輝度情報からなる信号である。また、キーストーン補正部１２は、その映像信号ＶＲ１，ＶＧ１，ＶＢ１に同期した同期信号Ｓync1をも生成するようになっている。
【００２３】
映像処理部１３は、キーストーン補正部１２から供給された映像信号ＶＲ１，ＶＧ１，ＶＢ１および同期信号Ｓync1に基づいて、映像処理を行うものである。具体的には、映像処理部１３は、後述するように、キーストーン補正部１２により変形された、本来の映像が表示される映像領域Ａ（図３（Ｂ））を取得し、その映像領域Ａに基づいて所定の映像処理を行う機能を有している。そして、映像処理部１３は、映像信号ＶＲ１，ＶＧ１，ＶＢ１に対してこのような映像処理を行うことにより映像信号ＶＲ３，ＶＧ３，ＶＢ３を生成するとともに、映像信号ＶＲ３，ＶＧ３，ＶＢ３に同期する同期信号Ｓync3を生成するようになっている。
【００２４】
映像投影部１４は、映像処理部１３から供給された映像信号ＶＲ３，ＶＧ３，ＶＢ３および同期信号Ｓync3に基づいて、スクリーン９に対して映像を投影するものである。
【００２５】
（映像処理部１３）
映像処理部１３は、入力された映像から、本来の映像が表示される映像領域Ａを取得し、その映像領域Ａにおける輝度情報の最大値，最小値，平均値など（以下、特徴量Ｂとも呼ぶ）を算出し、その特徴量に基づいて映像を補正するものである。以下に、その詳細を説明する。
【００２６】
映像処理部１３は、図１に示したように、映像信号ＶＲ１，ＶＧ１，ＶＢ１、および同期信号Ｓync1に基づいて、キーストーン補正などの映像処理を行う。ここで、同期信号Ｓync1は、垂直同期信号Ｖsync１，水平同期信号Ｈsync1，クロック信号ＣＫ１の総称である。
【００２７】
図４は、映像処理部１３に入力される信号の波形の一例を表すものであり、（Ａ）は垂直同期信号Ｖsync1の波形を示し、（Ｂ）は水平同期信号Ｈsync1の波形を示し、（Ｃ）はクロック信号ＣＫ１の波形を示し、（Ｄ）は映像信号ＶＲ１，ＶＧ１，ＶＢ１の波形を示す。映像処理部１３は、このような信号に基づいて映像処理を行う。
【００２８】
映像処理部１３は、輝度情報取得部２１と、記憶部２２と、映像領域取得部３０と、制御部２３と、映像補正部４０とを備えている。
【００２９】
輝度情報取得部２１は、映像信号ＶＲ１，ＶＧ１，ＶＢ１および同期信号Ｓync1に基づいて、輝度情報ＩＲ，ＩＧ，ＩＢを取得するものである。その際、輝度情報取得部２１は、映像信号Ｖ１により供給されたフレーム画像Ｐにおける、制御部２３が指示する画素座標での輝度情報ＩＲ，ＩＧ，ＩＢを取得するようになっている。
【００３０】
図５は、輝度情報取得部２１が輝度情報ＩＲ，ＩＧ，ＩＢを取得する画素座標の一例を表すものである。この例では、制御部２３は、輝度情報取得部２１が、水平方向に並設された、垂直方向に延びる線Ｌ状に配置された画素座標のそれぞれにおいて、輝度情報ＩＲ，ＩＧ，ＩＢを取得するように制御する。すなわち、輝度情報取得部２１は、供給されたフレーム画像Ｐから、輝度情報ＩＲ，ＩＧ，ＩＢをストライプ状に取得するようになっている。
【００３１】
その際、輝度情報取得部２１は、例えば、同期信号Ｓync1の各信号のパルスをカウントすることにより、映像信号ＶＲ１，ＶＧ１，ＶＢ１に含まれる一連の輝度情報から、制御部２３により指示された画素座標における輝度情報ＩＲ，ＩＧ，ＩＢを特定し、これらを取得するようになっている。
【００３２】
輝度情報取得部２１は、このようにして取得した輝度情報ＩＲ，ＩＧ，ＩＢを、画素座標ごとに、すなわち一組の輝度情報ＩＲ，ＩＧ，ＩＢごとに、映像領域取得部３０に供給する。なお、これに限定されるものではなく、これに代えて、例えば、輝度情報取得部２１内にバッファメモリを設け、フレーム画像ごとにまとめて供給するように構成してもよい。
【００３３】
記憶部２２は、輝度しきい値Ｉthを記憶するものである。記憶部２２は、例えば、不揮発性メモリにより構成され、輝度しきい値Ｉthを、図示しないマイコン等から変更できるように構成されている。
【００３４】
映像領域取得部３０は、輝度情報ＩＲ，ＩＧ，ＩＢ、輝度しきい値Ｉth、および制御部２３から供給される制御信号に基づいて、映像領域Ａを取得し、映像領域情報ＡＩとして出力するものである。その際、映像領域取得部３０は、この例では、複数枚（Ｎ枚）のフレーム画像Ｐ（１）〜Ｐ（Ｎ）から取得した輝度情報ＩＲ，ＩＧ，ＩＢに基づいて、各画像における映像領域Ａ（１）〜Ａ（Ｎ）を取得し、これらの映像領域Ａ（１）〜Ａ（Ｎ）に基づいて、映像領域Ａを求めるようになっている。
【００３５】
図６は、映像領域取得部３０の一構成例を表すものである。映像領域取得部３０は、領域取得部３１と、領域記憶部３２と、領域演算部３３とを有している。
【００３６】
領域取得部３１は、順次供給されるフレーム画像Ｐ（１）〜Ｐ（Ｎ）からストライプ状に取得した輝度情報ＩＲ，ＩＧ，ＩＢに基づいて、輝度情報ＩＲ，ＩＧ，ＩＢの和に対応する輝度情報Ｉを画素座標ごとに求め、その輝度情報Ｉと輝度しきい値Ｉthとを画素座標ごとにそれぞれ比較することにより、映像領域Ａ（１）〜Ａ（Ｎ）を順次取得するものである。領域記憶部３２は、領域取得部３１から順次供給される映像領域Ａ（１）〜Ａ（Ｎ）をそれぞれ記憶して蓄積するものである。領域演算部３３は、領域記憶部３２に蓄積された映像領域Ａ（１）〜Ａ（Ｎ）に基づいて映像領域Ａを求め、映像領域情報ＡＩとして出力するようになっている。これらの各ブロックは、図示していないが、制御部２３からの制御に基づいて連携して動作するようになっている。
【００３７】
制御部２３は、輝度情報取得部２１および映像領域取得部３０に対して制御信号を供給し、これらを制御するものである。具体的には、制御部２３は、輝度情報取得部２１に対して、輝度情報ＩＲ，ＩＧ，ＩＢを取得する画素座標や、取得する画像数等を指示するとともに、輝度情報取得部２１と映像領域取得部３０とがお互いに連動して動作するように制御する機能を有している。制御部２３は、これらの制御アルゴリズムを、外部（図示しないマイコン等）から変更できるように構成されている。
【００３８】
映像補正部４０は、映像領域情報ＡＩに基づいて、映像信号ＶＲ１，ＶＧ１，ＶＢ１に対して映像補正処理を行い、映像信号ＶＲ３，ＶＧ３，ＶＢ３を生成するものである。映像補正部４０は、メモリ４１と、特徴量取得部４２と、補正部４３とを有している。
【００３９】
メモリ４１は、映像領域取得部３０から供給された映像領域情報ＡＩ（映像領域Ａ）を記憶するものである。
【００４０】
特徴量取得部４２は、映像信号ＶＲ１，ＶＧ１，ＶＢ１、同期信号Ｓync1、およびメモリ４１に記憶された映像領域Ａに基づいて、映像領域Ａにおける輝度情報ＩＲ，ＩＧ，ＩＢの最大値，最小値，平均値など（特徴量Ｂ）を取得するものである。そして、特徴量取得部４２は、この特徴量Ｂを出力するとともに、映像信号ＶＲ１，ＶＧ１，ＶＢ１を映像信号ＶＲ２，ＶＧ２，ＶＢ２として出力し、同期信号Ｓync1を同期信号Ｓync2として出力するようになっている。
【００４１】
補正部４３は、映像信号ＶＲ２，ＶＧ２，ＶＢ２、同期信号Ｓync2、および特徴量Ｂに基づいて、例えば黒伸長や白伸長などの映像補正処理を行い、映像信号ＶＲ３，ＶＧ３，ＶＢ３、および同期信号Ｓync3を生成するようになっている。
【００４２】
ここで、輝度情報取得部２１および映像領域取得部３０は、本開示における「領域取得部」の一具体例に対応する。映像補正部４０は、本開示における「画像処理部」の一具体例に対応する。映像領域Ａは、本開示における「画像領域」の一具体例に対応する。映像領域Ａ（１）〜Ａ（Ｎ）に係る領域形状は、本開示における「暫定領域形状」の一具体例に対応する。
【００４３】
［動作および作用］
続いて、本実施の形態のプロジェクタ１の動作および作用について説明する。
【００４４】
（全体動作概要）
まず、図１を参照して、プロジェクタ１の全体動作概要を説明する。映像入力部１は、ＰＣなどの外部機器から映像信号を入力する。キーストーン補正部１２は、映像信号に対して、キーストーン補正の演算処理を行い、映像信号ＶＲ１，ＶＧ１，ＶＢ１を生成する。映像処理部１３は、キーストーン補正部１２により変形された、本来の映像が表示される映像領域Ａを取得し、その映像領域Ａに基づいて映像処理を行う。具体的には、映像処理部１３では、制御部２３による制御に従い、輝度情報取得部２１が映像信号ＶＲ１，ＶＧ１，ＶＢ１に基づいて輝度情報ＩＲ，ＩＧ，ＩＢを取得し、映像領域取得部３０がその輝度情報ＩＲ，ＩＧ，ＩＢに基づいて映像領域Ａを取得する。映像補正部４０は、その映像領域Ａにおける輝度情報ＩＲ，ＩＧ，ＩＢの特徴量Ｂを取得し、その特徴量Ｂに基づいて映像補正処理を行い、映像信号ＶＲ３，ＶＧ３，ＶＢ３および同期信号Ｓync3を生成する。そして、映像投影部１４は、映像信号ＶＲ３，ＶＧ３，ＶＢ３および同期信号Ｓync3に基づいて、スクリーン９に対して映像を投影する。
【００４５】
（映像処理部１３の詳細の動作）
図７は、映像処理部１３の動作を模式的に表したものである。例えば、プロジェクタ１がＰＣなどの外部機器と接続され、映像信号が供給され始めると、映像処理部１３は、図示しないマイコンなどからの指示に従って、まず、一連のフレーム画像のうちの最初のＮ枚のフレーム画像Ｐ（１）〜Ｐ（Ｎ）に基づいて映像領域Ａを取得する（映像領域取得動作）。そして、映像処理部１３は、映像領域Ａを取得した後に、その映像領域Ａに基づいて、続く一連のフレーム画像に対して映像補正処理（映像補正動作）を開始する。
【００４６】
なお、この例では、映像処理部１３は、図示しないマイコンなどからの指示に従って、映像領域取得動作を開始するとしたが、これに限定されるものではなく、例えば、映像処理部１３が、自ら、フレーム画像が入力されたことを判断して映像領域取得動作を開始するように構成してもよい。
【００４７】
また、この例では、プロジェクタ１が外部機器と接続された場合に映像領域取得動作を開始するとしたが、これに限定されるものではなく、使用途中であっても、例えば、ユーザからの要求に応じて、映像領域取得動作を行うようにしてもよいし、プロジェクタ１とスクリーン９との間の相対的な位置関係が変化した場合に、その変化を検出して映像領域取得動作を行うようにしてもよい。
【００４８】
次に、映像領域取得動作について、詳細に説明する。
【００４９】
図８は、輝度情報取得部２１および映像領域取得部３０の一動作例を模式的に表すものであり、（Ａ）は輝度情報取得部２１の動作を示し、（Ｂ），（Ｃ）は映像領域取得部３０の動作を示す。
【００５０】
輝度情報取得部２１は、まず、供給されたフレーム画像Ｐ（１）に基づいて、輝度情報ＩＲ，ＩＧ，ＩＢをストライプ状に取得する（図８（Ａ））。図８（Ａ）において、破線で表した部分は、輝度情報ＩＲ，ＩＧ，ＩＢから求められる輝度情報Ｉが０（ゼロ）であることを示し、実線で表した部分は、この輝度情報Ｉが０（ゼロ）でないことを示す。
【００５１】
次に、領域取得部３１は、輝度情報取得部２１から供給された、フレーム画像Ｐ（１）に係る輝度情報ＩＲ，ＩＧ，ＩＢに基づいて、映像領域Ａ（１）を取得する。具体的には、領域取得部３１は、まず、フレーム画像Ｐ（１）に係る輝度情報ＩＲ，ＩＧ，ＩＢに基づいて、輝度情報ＩＲ，ＩＧ，ＩＢの和に対応する輝度情報Ｉを画素座標ごとに求める。そして、領域取得部３１は、この輝度情報Ｉと輝度しきい値Ｉthとを画素座標ごとにそれぞれ比較することにより、映像領域Ａ（１）を取得する。その際、輝度情報Ｉは、映像領域Ａ（１）の外側（無映像領域）では０（ゼロ）であるため、領域取得部３１は、輝度情報Ｉが、適切に設定された輝度しきい値Ｉthを上回る領域を映像領域Ａ（１）として取得することができる（図８（Ｂ））。そして、領域記憶部３２は、領域取得部３１が取得した映像領域Ａ（１）を記憶する。
【００５２】
このようにして、輝度情報取得部２１および領域取得部３１は、順次供給されるフレーム画像Ｐ（１）〜Ｐ（Ｎ）に基づいて、映像領域Ａ（１）〜Ａ（Ｎ）を順次取得し（図８（Ａ），（Ｂ））、それらを領域記憶部３２に記憶して蓄積する。
【００５３】
次に、領域演算部３３は、領域記憶部３２に蓄積された映像領域Ａ（１）〜Ａ（Ｎ）に基づいて、映像領域Ａを求める（図８（Ｃ））。
【００５４】
映像領域取得部３０は、このようにして求めた映像領域Ａを、映像領域情報ＡＩとして映像補正部４０に供給する。そして、映像補正部４０は、この映像領域Ａを用いて、その映像領域Ａにおける輝度情報ＩＲ，ＩＧ，ＩＢの最大値，最小値，平均値など（特徴量Ｂ）を取得し、この特徴量Ｂに基づいて映像補正処理を行う。
【００５５】
このように、映像処理部１３では、映像領域Ａを取得し、それに基づいて映像補正処理を行うようにしたので、様々な形状の映像領域Ａにおける特徴量Ｂをより正確に取得できるため、画質を高めることができる。すなわち、プロジェクタ１では、プロジェクタ１とスクリーン９との相対的な位置関係に応じてキーストーン補正部１２がキーストーン補正を行うため、キーストーン補正後のフレーム画像における映像領域Ａは、様々な形状をとり得る。映像処理部１３では、映像領域Ａの形状を取得し、その映像領域Ａに基づいて特徴量Ｂを求め、その特徴量Ｂに基づいて映像補正処理を行うようにしたので、プロジェクタ１とスクリーン９との相対的な位置関係によらず、特徴量Ｂをより正確に取得できるため、画質を高めることができる。
【００５６】
また、映像処理部１３では、フレーム画像Ｐ（１）等から、輝度情報ＩＲ，ＩＧ，ＩＢをストライプ状に取得するようにしたので、フレーム画像Ｐ（１）等における全ての画素座標での輝度情報ＩＲ，ＩＧ，ＩＢを取得する場合に比べて、映像領域Ａ（１）等を求めるための演算量を削減することができる。
【００５７】
また、映像処理部１３では、一連のフレーム画像のうちの最初の所定数（Ｎ枚）のフレーム画像Ｐ（１）〜Ｐ（Ｎ）に基づいて映像領域Ａを求め、その求めた映像領域Ａに基づいて、それ以降のフレーム画像に対して映像補正処理を行うようにしたので、特徴量Ｂを取得する映像領域Ａが頻繁に変化することがないため、画質の低下を抑えることができる。
【００５８】
また、映像処理部１３では、複数のフレーム画像Ｐ（１）〜Ｐ（Ｎ）に基づいて映像領域Ａを求めるようにしたので、例えば、動画を表示する場合でも、より正確に映像領域Ａを得ることができる。すなわち、例えば、１枚のフレーム画像Ｐに基づいて映像領域Ａを求める場合には、そのフレーム画像Ｐが全面黒色である場合等には、そのフレーム画像Ｐから映像領域Ａを正確に取得できないおそれがある。一方、映像処理部１３では、複数のフレーム画像Ｐ（１）〜Ｐ（Ｎ）に基づいて映像領域Ａを求めるようにしたので、映像領域Ａを正確に取得できないフレーム画像が含まれていたとしても、例えば、そのフレーム画像以外のフレーム画像から映像領域Ａを求めることができるため、より正確に映像領域Ａを得ることができる。
【００５９】
また、映像処理部１３では、順次供給される複数のフレーム画像Ｐ（１）〜Ｐ（Ｎ）に基づいて、順次映像領域Ａ（１）〜Ａ（Ｎ）を取得し、これらの映像領域Ａ（１）〜Ａ（Ｎ）に基づいて映像領域Ａを求めるようにしたので、映像処理部の構成をよりシンプルにすることができる。すなわち、例えば、順次供給される複数のフレーム画像Ｐ（１）〜Ｐ（Ｎ）を一旦全て記憶し、これらに基づいて映像領域Ａを求める場合には、複数のフレーム画像Ｐ（１）〜Ｐ（Ｎ）を記憶するための大容量の記憶部が必要になり、構成が複雑になってしまうおそれがある。一方、映像処理部１３では、順次供給される複数のフレーム画像Ｐ（１）〜Ｐ（Ｎ）に基づいて、順次映像領域Ａ（１）〜Ａ（Ｎ）を取得し、これを一旦全て記憶するようにしたので、記憶部（領域記憶部３２）の記憶容量を抑えることができ、構成をよりシンプルにすることができる。
【００６０】
次に、映像処理部１３における、映像領域取得動作から映像補正動作への切り換わり動作について説明する。ここでは、映像領域取得動作を行うことにより、映像領域取得部３０が取得した映像領域Ａが、映像領域Ｘから映像領域Ｙに変化した場合を例に説明する。
【００６１】
図９は、映像処理部１３の一動作例を表すものであり、（Ａ）は垂直同期信号Ｖsync1の波形を示し、（Ｂ）は映像信号ＶＲ１，ＶＧ１，ＶＢ１の波形を示し、（Ｃ）は映像領域情報ＡＩを示し、（Ｄ）は映像補正部４０の動作を示す。図９（Ｃ）において、斜線部は、映像領域取得部３０が、映像補正部４０に対して映像領域情報ＡＩを供給していることを示す。また、図９（Ｄ）において、“映像領域Ｘ”は、映像補正部４０が映像領域Ｘに基づいて映像補正処理を行っていることを示し、“映像領域Ｙ”は、映像補正部４０が映像領域Ｙに基づいて映像補正処理を行っていることを示している。
【００６２】
映像領域取得動作において、映像補正部４０は、最後のフレーム画像Ｐ（Ｎ）に係るフレーム期間（１Ｆ）に映像領域Ｙを示す映像領域情報ＡＩが供給されると（図９（Ｃ））、その映像領域情報ＡＩをメモリ４１に記憶する。そして、特徴量取得部４２は、垂直ブランキング期間ＶＢが開始した後に、メモリ４１に記憶された新しい映像領域情報ＡＩ（映像領域Ｙ）を読み込む。これにより、映像処理部４０は、次のフレーム期間から、この映像領域Ｙに基づいて映像補正処理を行うことができる（図９（Ｄ））。
【００６３】
このように、映像処理部１３では、映像領域Ａを取得し、それに基づいて映像補正処理を行うようにしたので、例えば、プロジェクタ１とスクリーン９との間の相対的な位置関係が使用途中で変化し、キーストーン補正の演算が変化することにより映像領域Ａの形状が変化した場合でも、その映像領域Ａの変化に応じて特徴量Ｂを取得できるため、画質を高めることができる。
【００６４】
また、映像処理部１３では、映像領域Ａがフレーム期間の途中で変更された場合でも、垂直ブランキング期間ＶＢまでは、以前の映像領域Ａを用いて映像補正処理を行うようにしたので、１枚のフレーム画像に対する映像補正処理の途中で、処理の方法が変化することがないため、画質の低下を低減することができる。
【００６５】
［効果］
以上のように本実施の形態では、映像領域を取得し、その取得した映像領域に基づいて補正処理を行うようにしたので、画質を高めることができる。
【００６６】
また、本実施の形態では、輝度情報をストライプ状に取得し、それに基づいて映像領域を取得するようにしたので、映像領域を取得するための演算量を削減することができる。
【００６７】
また、本実施の形態では、順次供給される複数のフレーム画像に基づいて、順次映像領域Ａ（１）〜Ａ（Ｎ）を取得し、これらに基づいて映像領域Ａを求めるようにしたので、構成をよりシンプルにすることができる。
【００６８】
［変形例１−１］
上記実施の形態では、垂直方向に延伸する線Ｌ状に配置された画素座標において輝度情報ＩＲ，ＩＧ，ＩＢを取得したが、これに限定されるものではなく、これに代えて、例えば、図１０（Ａ）に示したように、水平方向に延伸する線Ｌ１状に配置された画素座標において輝度情報ＩＲ，ＩＧ，ＩＢを取得してもよいし、図１０（Ｂ）に示したように、斜め方向に延伸する線Ｌ２状に配置された画素座標において輝度情報ＩＲ，ＩＧ，ＩＢを取得してもよい。また、複数の線Ｌなどからなるストライプに限定されるものではなく、１本の線であってもよいし、幅を有する帯であってもよい。さらに、線に限定されるものではなく、図１０（Ｃ）に示したように、点であってもよい。
【００６９】
［変形例１−２］
上記実施の形態では、図３（Ｂ）に示したように、キーストーン補正後の映像領域Ａが台形状である場合を例に説明したが、これに限定されるものではなく、例えば図１１に示したような形状など、どのような形状であってもよい。
【００７０】
また、上記実施の形態では、プロジェクタを例に説明したが、これに限定されるものではなく、映像領域Ａが生じる全てのケースに適用することができる。以下に、テレビジョン装置を例について説明する。
【００７１】
図１２は、テレビジョン装置における映像処理部の適用例を表すものであり、（Ａ）は映画コンテンツを表示する場合を示し、（Ｂ）はＯＳＤ（On Screen Display）を表示する場合を示す。映画コンテンツの映像など、表示画面のアスペクト比と異なるアスペクト比を有する映像を表示する場合には、例えば、図１２（Ａ）に示したように、表示画面の上下などに黒帯領域が生ずる。映像処理部は、この黒帯領域以外の、本来の映像が表示されるレターボックス型の映像領域Ａを取得し、その映像領域Ａに基づいて映像補正処理を行うことができる。  また、例えば図１２（Ｂ）に示したように、ＯＳＤによる子画面ＳＤが表示される場合には、映像処理部は、この子画面ＳＤ以外の映像領域Ａを取得し、その映像領域Ａに基づいて映像補正処理を行うことができる。
【００７２】
［変形例１−３］
上記実施の形態では、制御部２３は独立したブロックとしたが、これに限定されるものではなく、例えば、映像領域取得部３０や、輝度情報取得部２１に含まれるように構成してもよい。
【００７３】
［変形例１−４］
上記実施の形態では、記憶部２２は、輝度しきい値Ｉthを記憶するようにしたが、例えば、複数の輝度しきい値Ｉthを記憶するように構成してもよい。その場合には、例えば、その複数の輝度しきい値Ｉthのうちの１つを図示しないマイコン等から選択できるように構成することができる。
【００７４】
［変形例１−５］
上記実施の形態では、映像処理部４０は、映像領域Ａに基づいて常に映像補正処理を行うものとしたが、これに限定されるものではない。例えば、上記実施の形態のように映像補正処理を行う動作モードＭ１と、映像補正処理を一切行わず、映像信号ＶＲ１，ＶＧ１，ＶＢ１をそのまま映像信号ＶＲ３，ＶＧ３，ＶＢ３として出力する動作モードＭ２の２つの動作モードを有するように構成してもよい。この場合、例えば、図示しないマイコン等が動作モードＭ１，Ｍ２のうちの１つを選択するように構成することが可能である。動作モードＭ１から動作モードＭ２に変更した後に、動作モードＭ１に再度変更した場合において、映像処理部４０は、メモリ４１に記憶されている映像領域Ａに基づいて映像補正処理を行ってもよいし、映像領域取得部３０等が再度映像領域Ａを取得するようにしてもよい。
【００７５】
［変形例１−６］
上記実施の形態では、輝度情報取得部２１が、Ｎ枚のフレーム画像Ｐ（１）〜Ｐ（Ｎ）から輝度情報ＩＲ，ＩＧ，ＩＢを取得する画素座標は、フレーム画像間で互いに同じとしたが、これに限定されるものではなく、これに代えて、例えば、フレーム画像間で互いに異なるようにしてもよい。
【００７６】
＜２．第２の実施の形態＞
次に、第２の実施の形態に係るプロジェクタ２について説明する。本実施の形態は、輝度情報ＩＲ，ＩＧ，ＩＢに基づいて映像領域Ａを取得する方法が、上記第１の実施の形態と異なるものである。その他の構成は、上記第１の実施の形態（図１等）と同様である。なお、上記第１の実施の形態に係るプロジェクタ１と実質的に同一の構成部分には同一の符号を付し、適宜説明を省略する。
【００７７】
プロジェクタ２は、図１に示したように、映像処理部１５を備えている。映像処理部１５は、映像領域取得部５０を有している。
【００７８】
図１３は、映像領域取得部５０の一構成例を表すものである。映像領域取得部５０は、輝度情報記憶部５１と、演算部５２と、領域取得部５３とを有している。
【００７９】
輝度情報記憶部５１は、順次供給されるフレーム画像Ｐ（１）〜Ｐ（Ｎ−１）からストライプ状に取得した輝度情報ＩＲ，ＩＧ，ＩＢを記憶するものである。演算部５２は、輝度情報記憶部５１に記憶されたフレーム画像Ｐ（１）〜Ｐ（Ｎ−１）に係る輝度情報ＩＲ，ＩＧ，ＩＢと、輝度情報取得部２１から供給されたフレーム画像Ｐ（Ｎ）からストライプ状に取得した輝度情報ＩＲ，ＩＧ，ＩＢとに基づいて、演算を行うものである。具体的には、この例では、まず、演算部５２は、輝度情報ＩＲ，ＩＧ，ＩＢに基づいて、輝度情報ＩＲ，ＩＧ，ＩＢの和に対応する輝度情報Ｉを画素座標ごとに求める。そして、演算部５２は、フレーム画像Ｐ（１）〜Ｐ（Ｎ）の、互いに同じ画素座標に係る輝度情報Ｉについて平均値（平均輝度情報ＩＡＶ）を求める演算を行う機能をようになっている。領域取得部５３は、平均輝度情報ＩＡＶと輝度しきい値Ｉthとを画素座標ごとにそれぞれ比較することにより、映像領域Ａを取得するものである。これらの各ブロックは、図示していないが、制御部２３からの制御に基づいて連携して動作するようになっている。
【００８０】
ここで、平均輝度情報ＩＡＶは、本開示における「合成輝度情報」の一具体例に対応する。
【００８１】
図１４は、輝度情報取得部２１および映像領域取得部５０の一動作例を模式的に表すものであり、（Ａ）は輝度情報取得部２１の動作を示し、（Ｂ），（Ｃ）は映像領域取得部５０の動作を示す。
【００８２】
輝度情報取得部２１は、まず、供給されたフレーム画像Ｐ（１）〜Ｐ（Ｎ−１）に基づいて、輝度情報ＩＲ，ＩＧ，ＩＢをストライプ状に取得する（図１４（Ａ））。そして、輝度情報記憶部５１は、これらの輝度情報ＩＲ，ＩＧ，ＩＢを記憶して蓄積する。
【００８３】
引き続き、輝度情報取得部２１は、次に供給されるフレーム画像Ｐ（Ｎ）に基づいて、輝度情報ＩＲ，ＩＧ，ＩＢをストライプ状に取得する（図１４（Ａ））。
【００８４】
次に、演算部５２は、輝度情報記憶部５１に記憶されたフレーム画像Ｐ（１）〜Ｐ（Ｎ−１）に係る輝度情報ＩＲ，ＩＧ，ＩＢと、輝度情報取得部２１から供給されたフレーム画像Ｐ（Ｎ）に係る輝度情報ＩＲ，ＩＧ，ＩＢとに基づいて、輝度情報ＩＲ，ＩＧ，ＩＢの和に対応する輝度情報Ｉを画素座標ごとに求める。そして、演算部５２は、フレーム画像Ｐ（１）〜Ｐ（Ｎ）の、互いに同じ画素座標に係る輝度情報Ｉについて平均値（平均輝度情報ＩＡＶ）を求める（図１４（Ｂ））。
【００８５】
次に、領域取得部５３は、平均輝度情報ＩＡＶと輝度しきい値Ｉthとを画素座標ごとにそれぞれ比較することにより、映像領域Ａを取得する（図１４（Ｃ））。
【００８６】
映像領域取得部５０は、このようにして求めた映像領域Ａを、映像領域情報ＡＩとして映像補正部４０に供給する。そして、映像補正部４０は、この映像領域Ａを用いて、その映像領域Ａにおける輝度情報ＩＲ，ＩＧ，ＩＢの最大値，最小値，平均値など（特徴量Ｂ）を取得し、映像補正処理を行う。
【００８７】
以上のように本実施の形態では、平均輝度情報（合成輝度情報）を求め、その平均輝度情報に基づいて映像領域を求めるようにしたので、映像領域を求める動作をシンプルにすることができ、領域取得部などの演算回路を小さくすることができる。その他の効果は、上記第１の実施の形態の場合と同様である。
【００８８】
［変形例２−１］
上記実施の形態では、演算部５２は、Ｎ枚のフレーム画像Ｐ（１）〜Ｐ（Ｎ）に係る輝度情報ＩＲ，ＩＧ，ＩＢに基づいて演算を行ったが、これに限定されるものではなく、これに代えて、例えば、このＮ枚のフレーム画像Ｐ（１）〜Ｐ（Ｎ）から１枚おきに画像を選択し、その選択した画像に係る輝度情報ＩＲ，ＩＧ，ＩＢに基づいて演算を行うようにしてもよい。
【００８９】
［変形例２−２］
上記実施の形態では、演算部５２は、フレーム画像Ｐ（１）〜Ｐ（Ｎ）の、互いに同じ画素座標に係る輝度情報Ｉについて平均値を求める演算を行ったが、これに限定されるものではない。以下に、本変形例に係る演算部５２Ｂを有する映像領域取得部５０Ｂの動作について詳細に説明する。
【００９０】
図１５は、輝度情報取得部２１および映像領域取得部５０Ｂの一動作例を模式的に表すものであり、（Ａ）は輝度情報取得部２１の動作を示し、（Ｂ）〜（Ｄ）は映像領域取得部５０Ｂの動作を示す。映像領域取得部５０Ｂでは、演算部５２Ｂは、まず、フレーム画像Ｐ（１）〜Ｐ（Ｎ−１）のうちの時間軸上で隣り合う画像のペアにおいて、輝度情報Ｉの差分（差分輝度情報ＩＤ）を画素座標ごとに求める（図１５（Ｂ））。次に、演算部５２Ｂは、その差分輝度情報ＩＤの和（差分輝度情報ＩＤ２）を画素座標ごとに求める（図１５（Ｃ））。そして、領域取得部５３は、その差分輝度情報ＩＤ２と輝度しきい値Ｉthとを画素座標ごとにそれぞれ比較することにより、映像領域Ａを取得する（図１５（Ｄ））。
【００９１】
例えば、動画を表示する場合には、映像領域Ａでは、差分輝度情報ＩＤ，ＩＤ２は０（ゼロ）以外の値になる。一方、映像領域Ａ以外の領域（無映像領域）では、輝度情報Ｉは０（ゼロ）を維持するため、差分輝度情報ＩＤ，ＩＤ２もまた０（ゼロ）になる。これにより、領域取得部５３は、差分輝度情報ＩＤ２と輝度しきい値Ｉthとを画素座標ごとにそれぞれ比較することにより、映像領域Ａを取得することができる。
【００９２】
＜３．第３の実施の形態＞
次に、第３の実施の形態に係るプロジェクタ３について説明する。本実施の形態は、輝度情報ＩＲ，ＩＧ，ＩＢを取得する画素座標が、フレーム画像間で変化するように構成したものである。その他の構成は、上記第１の実施の形態等（図１等）と同様である。なお、上記第１の実施の形態に係るプロジェクタ１と実質的に同一の構成部分には同一の符号を付し、適宜説明を省略する。
【００９３】
プロジェクタ３は、図１に示したように、映像処理部１６を備えている。映像処理部１６は、制御部２９と、映像領域取得部６０を有している。
【００９４】
制御部２９は、上記第１の実施の形態等に係る制御部２３と同様に、輝度情報取得部２１および映像領域取得部６０に対して制御信号を供給し、これらを制御するものである。その際、制御部２９は、輝度情報取得部２１において輝度情報ＩＲ，ＩＧ，ＩＢを取得する画素座標が、フレーム画像間で変化するように制御する。
【００９５】
図１６は、輝度情報取得部２１が輝度情報Ｉを取得する画素座標の一例を表すものである。この例では、制御部２９は、複数の線Ｌからなるストライプをフレーム画像Ｐ（１）〜Ｐ（Ｎ）のフレーム画像ごとに水平方向に１画素ずつずらすことにより、輝度情報取得部２１が輝度情報ＩＲ，ＩＧ，ＩＢを取得する画素座標を変化させている。
【００９６】
映像領域取得部６０は、この制御部２９による指示に従って輝度情報取得部２１が取得した輝度情報ＩＲ，ＩＧ，ＩＢに基づいて、映像領域Ａを取得するものである。
【００９７】
図１７は、映像領域取得部６０の一構成例を表すものである。映像領域取得部６０は、輝度情報記憶部５１と、合成画像生成部６２と、領域取得部６３とを有している。
【００９８】
合成画像生成部６２は、輝度情報記憶部５１に記憶されたフレーム画像Ｐ（１）〜Ｐ（Ｎ−１）に係る輝度情報ＩＲ，ＩＧ，ＩＢと、輝度情報取得部２１から供給されたフレーム画像Ｐ（Ｎ）からストライプ状に取得した輝度情報ＩＲ，ＩＧ，ＩＢとを合成して、一枚の合成フレーム画像ＰＳを生成するものである。領域取得部６３は、合成フレーム画像ＰＳにおける輝度情報ＩＲ，ＩＧ，ＩＢに基づいて、輝度情報ＩＲ，ＩＧ，ＩＢの和に対応する輝度情報Ｉを画素座標ごとに求め、その輝度情報Ｉと輝度しきい値Ｉthとを画素座標ごとにそれぞれ比較することにより、映像領域Ａを取得するものである。これらの各ブロックは、図示していないが、制御部２９からの制御に基づいて連携して動作するようになっている。
【００９９】
ここで、構成フレーム画像ＰＳは、本開示における「合成画像」の一具体例に対応する。
【０１００】
図１８は、輝度情報取得部２１および映像領域取得部６０の一動作例を模式的に表すものであり、（Ａ）は輝度情報取得部２１の動作を示し、（Ｂ），（Ｃ）は映像領域取得部６０の動作を示す。
【０１０１】
合成画像生成部６２は、輝度情報記憶部５１に記憶されたフレーム画像Ｐ（１）〜Ｐ（Ｎ−１）に係る輝度情報Ｉと、輝度情報取得部２１から供給されたフレーム画像Ｐ（Ｎ）に係る輝度情報Ｉとに基づいて、合成フレーム画像ＰＳを生成する（図１８（Ｂ））。すなわち、輝度情報取得部２１は、垂直方向に延伸する複数の線Ｌからなるストライプをフレーム画像Ｐ（１）〜Ｐ（Ｎ）のフレーム画像ごとに水平方向に１画素ずつずらしながら輝度情報ＩＲ，ＩＧ，ＩＢを取得しているため、合成画像生成部６２は、フレーム画像Ｐ（１）等と同じ画素数の合成フレーム画像ＰＳを生成することができる。
【０１０２】
次に、領域取得部５３は、合成フレーム画像ＰＳにおける輝度情報ＩＲ，ＩＧ，ＩＢに基づいて、輝度情報ＩＲ，ＩＧ，ＩＢの和に対応する輝度情報Ｉを画素座標ごとに求める。そして、領域取得部５３は、その輝度情報Ｉと輝度しきい値Ｉthとを画素座標ごとにそれぞれ比較することにより、映像領域Ａを取得する（図１８（Ｃ））。
【０１０３】
映像領域取得部６０は、このようにして求めた映像領域Ａを、映像領域情報ＡＩとして映像補正部４０に供給する。そして、映像補正部４０は、この映像領域Ａを用いて、その映像領域Ａにおける輝度情報ＩＲ，ＩＧ，ＩＢの最大値，最小値，平均値など（特徴量Ｂ）を取得し、映像補正処理を行う。
【０１０４】
以上のように本実施の形態では、輝度情報を取得する画素座標を、フレーム画像間で変化させるようにしたので、映像領域の形状が複雑であっても、映像領域の形状をより正確に取得することができ、特徴量をより正確に取得できるため、画質を高めることができる。その他の効果は、上記第１の実施の形態の場合と同様である。
【０１０５】
＜４．第４の実施の形態＞
次に、第４の実施の形態に係るプロジェクタ４について説明する。本実施の形態は、輝度情報Ｉを取得する画素座標が、フレーム画像間で変化するように構成するとともに、無映像領域に着目して映像領域Ａを取得するものである。その他の構成は、上記第３の実施の形態等（図１等）と同様である。なお、上記第３の実施の形態に係るプロジェクタ３と実質的に同一の構成部分には同一の符号を付し、適宜説明を省略する。
【０１０６】
プロジェクタ４は、図１に示したように、映像処理部１７を備えている。映像処理部１７は、制御部２９と、映像領域取得部７０を有している。
【０１０７】
映像領域取得部７０は、制御部２９による指示に従って輝度情報取得部２１が取得した輝度情報ＩＲ，ＩＧ，ＩＢに基づいて、無映像領域に着目して映像領域Ａを取得するものである。
【０１０８】
図１９は、映像領域取得部７０の一構成例を表すものである。映像領域取得部７０は、黒画素座標取得部７１と、黒画素マップ記憶部７２と、黒画素座標合成部７３と、領域取得部７４とを有している。
【０１０９】
黒画素座標取得部７１は、順次供給されるフレーム画像Ｐ（１）〜Ｐ（Ｎ）からストライプ状に取得した輝度情報ＩＲ，ＩＧ，ＩＢに基づいて、無映像領域に係る画素座標（黒画素座標）を取得するものである。具体的には、黒画素座標取得部７１は、輝度情報ＩＲ，ＩＧ，ＩＢに基づいて、輝度情報ＩＲ，ＩＧ，ＩＢの和に対応する輝度情報Ｉを画素座標ごとに求める。そして、黒画素座標取得部７１は、その輝度情報Ｉと輝度しきい値Ｉthとを比較し、輝度情報Ｉが輝度しきい値Ｉthより低い画素座標（黒画素座標）を取得するようになっている。
【０１１０】
黒画素マップ記憶部７２は、黒画素座標取得部７１から供給された、フレーム画像Ｐ（１）〜Ｐ（Ｎ）に係る黒画素座標に基づいて、その黒画素座標の位置を、フレーム画像ごとにマップデータ（黒画素マップＭＡＰ（１）〜ＭＡＰ（Ｎ））として記憶し蓄積するものである。ここで、黒画素マップＭＡＰ（１）〜ＭＡＰ（Ｎ）は、例えば、黒画素を示す部分を“１”で示し、それ以外の部分を“０”で示したものである。
【０１１１】
黒画素マップ合成部７３は、黒画素マップ記憶部７２に記憶された黒画素マップＭＡＰ（１）〜ＭＡＰ（Ｎ）を合成し、黒画素マップＭＡＰを生成するものである。領域取得部７４は、この黒画素マップＭＡＰに基づいて、映像領域Ａを取得するものである。
【０１１２】
これらの各ブロックは、図示していないが、制御部２９からの制御に基づいて連携して動作するようになっている。
【０１１３】
ここで、黒画素マップＭＡＰ（１）〜ＭＡＰ（Ｎ）は、本開示における「部分マップ」の一具体例に対応する。黒画素マップＭＡＰは、本開示における「合成マップ」の一具体例に対応する。
【０１１４】
図２０は、輝度情報取得部２１および映像領域取得部７０の一動作例を模式的に表すものであり、（Ａ）は輝度情報取得部２１の動作を示し、（Ｂ），（Ｃ）は映像領域取得部７０の動作を示す。
【０１１５】
黒画素座標取得部７１は、順次供給されるフレーム画像Ｐ（１）〜Ｐ（Ｎ）からストライプ状に取得した輝度情報ＩＲ，ＩＧ，ＩＢに基づいて、輝度情報ＩＲ，ＩＧ，ＩＢの和に対応する輝度情報Ｉを画素座標ごとに求め、その輝度情報Ｉと輝度しきい値Ｉthとを比較し、輝度情報Ｉが輝度しきい値Ｉthより低い画素座標（黒画素座標）を取得する。そして、黒画素マップ記憶部７２は、その黒画素座標を、フレーム画像ごとにマップデータ（黒画素マップＭＡＰ（１）〜ＭＡＰ（Ｎ））として記憶し蓄積する（図２０（Ｂ））。
【０１１６】
次に、黒画素マップ合成部７３は、黒画素マップ記憶部７２に記憶された黒画素マップＭＡＰ（１）〜ＭＡＰ（Ｎ）を合成し、黒画素マップＭＡＰを生成する（図２０（Ｃ））。すなわち、輝度情報取得部２１は、複数の線Ｌからなるストライプをフレーム画像Ｐ（１）〜Ｐ（Ｎ）のフレーム画像ごとに水平方向に１画素ずつずらしながら輝度情報ＩＲ，ＩＧ，ＩＢを取得しているため、合成画像生成部６２は、フレーム画像Ｐ（１）等と同じ画素数の黒画素マップＭＡＰを生成することができる。
【０１１７】
そして、領域取得部７４は、この黒画素マップＭＡＰに基づいて、映像領域Ａを取得する（図２０（Ｄ））。
【０１１８】
映像領域取得部７０は、このようにして求めた映像領域Ａを、映像領域情報ＡＩとして映像補正部４０に供給する。そして、映像補正部４０は、この映像領域Ａを用いて、その映像領域Ａにおける輝度情報ＩＲ，ＩＧ，ＩＢの最大値，最小値，平均値など（特徴量Ｂ）を取得し、映像補正処理を行う。
【０１１９】
映像処理部１７では、順次供給されるフレーム画像Ｐ（１）〜Ｐ（Ｎ）から黒画素マップＭＡＰ（１）〜ＭＡＰ（Ｎ）を生成し、この黒画素マップＭＡＰ（１）〜ＭＡＰ（Ｎ）を合成して黒画素マップＭＡＰを生成し、これに基づいて映像領域Ａを取得するようにしたので、構成をよりシンプルにすることができる。すなわち、例えば上記第３の実施の形態の場合には、輝度情報記憶部５１が輝度情報ＩＲ，ＩＧ，ＩＢを記憶するため、大きな記憶容量が必要になるおそれがある。一方、映像処理部１７では、黒画素マップＭＡＰ（１）〜ＭＡＰ（Ｎ）を記憶するようにしたので、記憶部（黒画素マップ記憶部７２）の記憶容量を抑えることができ、構成をよりシンプルにすることができる。
【０１２０】
以上のように本実施の形態では、黒画素マップに基づいて映像領域を取得するようにしたので、構成をシンプルにすることができる。その他の効果は、上記第３の実施の形態の場合と同様である。
【０１２１】
＜５．適用例＞
以上では、映像処理部についてプロジェクタを例に説明したがこれに限定されるものではない。次に、上記実施の形態および変形例で説明した映像処理部の適用例について説明する。
【０１２２】
図２１は、上記実施の形態等の映像処理部が適用されるテレビジョン装置の外観を表すものである。このテレビジョン装置は、例えば、フロントパネル５１１およびフィルターガラス５１２を含む映像表示画面部５１０を有している。このテレビジョン装置は、上記実施の形態等に係る映像処理部を含んで構成されている。
【０１２３】
上記実施の形態等の映像処理部は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の映像処理部は、映像を表示するあらゆる分野の電子機器に適用することが可能である。
【０１２４】
以上、いくつかの実施の形態および変形例、ならびにそれらの具体的な応用例および電子機器への適用例を挙げて本技術を説明したが、本技術はこれらの実施の形態等には限定されず、種々の変形が可能である。
【０１２５】
例えば、上記の各実施の形態等では、輝度情報取得部２１は、映像信号ＶＲ１，ＶＧ１，ＶＢ１から輝度情報ＩＲ，ＩＧ，ＩＢを取得し、映像領域取得部３０は、その輝度情報ＩＲ，ＩＧ，ＩＢに基づいて映像領域Ａを取得したが、これに限定されるものではなく、これに代えて、例えば、図２２に示したように、輝度情報取得部２１Ｂが、映像信号ＶＲ１，ＶＧ１，ＶＢ１のうちの１つ（この例では映像信号ＶＲ１）から輝度情報を取得し、映像領域取得部３０が、その輝度情報に基づいて映像領域Ａを取得してもよい。また、例えば、輝度情報をする映像信号を選択できるように構成してもよい。
【０１２６】
また、例えば、上記の各実施の形態等では、輝度情報取得部２１は、輝度情報ＩＲ，ＩＧ，ＩＢをストライプ状に取得したが、これに限定されるものではなく、これに代えて、入力された画像の全ての輝度情報ＩＲ，ＩＧ，ＩＢを取得してもよい。また、上記の各実施の形態では、複数枚（Ｎ枚）のフレーム画像から輝度情報ＩＲ，ＩＧ，ＩＢを取得して、これに基づいて映像領域Ａを取得したが、これに限定されるものではなく、これに代えて、例えば、１枚のフレーム画像のみから輝度情報ＩＲ，ＩＧ，ＩＢを取得し、これに基づいて映像領域Ａを取得してもよい。
【０１２７】
また、例えば、上記の各実施の形態等では、映像処理部１３等は、特徴量Ｂに基づいて映像補正処理を行うようにしたが、これに限定されるものではなく、これに代えて、図２３に示したように、特徴量Ｂに基づいて液晶表示部８２のバックライト８３の発光輝度を制御するようにしてもよい。
【０１２８】
なお、本技術は以下のような構成とすることができる。
【０１２９】
（１）一連のフレーム画像のうちの所定数のフレーム画像に基づいて画像領域の領域形状を求める領域取得部と、
前記領域形状に基づいて、所定の画像処理を行う画像処理部と
備えた画像処理装置。
【０１３０】
（２）前記領域取得部は、前記所定数のフレーム画像のそれぞれにおいて、複数の画素座標における輝度情報をサンプリングし、その輝度情報に基づいて前記領域形状を求める
前記（１）に記載の画像処理装置。
【０１３１】
（３）前記複数の画素座標は、各フレーム画像を構成する全画素のうちの一部の画素の座標である
前記（２）に記載の画像処理装置。
【０１３２】
（４）前記複数の画素座標は、前記所定数のフレーム画像において固定されている
前記（３）に記載の画像処理装置。
【０１３３】
（５）一のフレーム画像における前記複数の画素座標は、他のいずれか一のフレーム画像における前記複数の画素座標と異なる
前記（３）に記載の画像処理装置。
【０１３４】
（６）前記領域取得部は、前記所定数のフレーム画像のそれぞれに基づいて画像領域の暫定領域形状を求め、複数の前記暫定領域形状に基づいて前記領域形状を求める
前記（３）から（５）のいずれかに記載の画像処理装置。
【０１３５】
（７）前記領域取得部は、前記複数の画素座標のそれぞれにおいて、前記所定数のフレーム画像における前記輝度情報から合成輝度情報を求め、その合成輝度情報に基づいて前記領域形状を求める
前記（４）に記載の画像処理装置。
【０１３６】
（８）前記複数の画素座標は、前記所定数のフレーム画像間で互いに異なる
前記（３）に記載の画像処理装置。
【０１３７】
（９）前記領域取得部は、前記所定数のフレーム画像における前記輝度情報に基づいて合成画像を生成し、その合成画像に基づいて前記領域形状を求める
前記（８）に記載の画像処理装置。
【０１３８】
（１０）前記領域取得部は、前記所定数のフレーム画像のそれぞれに基づいて、輝度情報が黒レベルである画素座標を表す部分マップを求め、前記所定数のフレーム画像から求めた前記部分マップに基づいて合成マップを生成し、その合成マップに基づいて前記領域形状を求める
前記（８）に記載の画像処理装置。
【０１３９】
（１１）前記複数の画素座標は、１または複数の線を構成する
前記（３）から（１０）のいずれかに記載の画像処理装置。
【０１４０】
（１２）前記領域取得部は、前記所定数のフレーム画像から前記領域形状を求めた後、その動作を停止する
前記（２）から（１１）のいずれかに記載の画像処理装置。
【０１４１】
（１３）前記領域取得部は、前記一連のフレーム画像のうちの１のフレーム画像において、複数の画素座標における輝度情報をサンプリングし、その輝度情報に基づいて前記領域形状を求める
前記（１）に記載の画像処理装置。
【０１４２】
（１４）前記複数の画素座標は、各フレーム画像を構成する全画素の座標である
前記（２）または（１３）に記載の画像処理装置。
【０１４３】
（１５）前記画像処理部は、各フレーム画像の前記画像領域における輝度情報に基づいて、そのフレーム画像に対して画像処理を行う
前記（１）から（１４）のいずれかに記載の画像処理装置。
【０１４４】
（１６）一連のフレーム画像のうちの所定数のフレーム画像に基づいて画像領域の領域形状を求め、その領域形状に基づいて、所定の画像処理を行う
画像処理方法。
【０１４５】
（１７）一連のフレーム画像のうちの所定数のフレーム画像に基づいて画像領域の領域形状を求める領域取得部と、
前記領域形状に基づいて、所定の画像処理を行う画像処理部と、
前記所定の画像処理が施された画像を表示する表示部と
を備えた表示装置。
【０１４６】
（１８）画像処理装置と、
前記画像処理装置を利用した動作制御を行う制御部と
を備え、
前記画像処理装置は、
一連のフレーム画像のうちの所定数のフレーム画像に基づいて画像領域の領域形状を求める領域取得部と、
前記領域形状に基づいて、所定の画像処理を行う画像処理部と
を有する
電子機器。
【符号の説明】
【０１４７】
１，２，３，４…プロジェクタ、９…スクリーン、１１…映像入力部、１２…キーストーン補正部、１３，１５，１６，１７，１８…映像処理部、１４…映像投影部、２１…輝度情報取得部、２２…記憶部、２３，２９…制御部、３０，５０，６０，７０…映像領域取得部、３１…領域取得部、３２…領域記憶部、３３…領域演算部、４０…映像補正部、４１…メモリ、４２…特徴量取得部、４３…補正部、５１…輝度情報記憶部、５２…演算部、５３…領域取得部、６２…合成画像生成部、６３…領域取得部、７１…黒画素座標取得部、７２…黒画素マップ記憶部、７３…黒画素マップ合成部、７４…領域取得部、８０…処理部、８１…バックライト制御部、８２…液晶表示部、８３…バックライト、Ａ，Ａ（１）〜Ａ（Ｎ）…映像領域、ＡＩ…映像領域情報、Ｂ…特徴量、Ｌ，Ｌ１，Ｌ２…線、Ｉ，ＩＲ，ＩＧ，ＩＢ…輝度情報、ＩＡＶ…平均輝度情報、ＩＤ，ＩＤ２…差分輝度情報、Ｉth…輝度しきい値、ＭＡＰ，ＭＡＰ（１）〜ＭＡＰ（Ｎ）…黒画素マップ、Ｐ（１）〜Ｐ（Ｎ）…フレーム画像、ＰＳ…合成フレーム画像、Ｓync1，Ｓync2，Ｓync3…同期信号、ＶＲ１，ＶＧ１，ＶＢ１，ＶＲ２，ＶＧ２，ＶＢ２，ＶＲ３，ＶＧ３，ＶＢ３…映像信号、Ｖsync1…垂直同期信号、Ｈsync1…水平同期信号、ＣＫ１…クロック信号。
【図１】
2013217955.tif 000003
【図２】
2013217955.tif 000004
【図３】
2013217955.tif 000005
【図４】
2013217955.tif 000006
【図５】
2013217955.tif 000007
【図６】
2013217955.tif 000008
【図７】
2013217955.tif 000009
【図８】
2013217955.tif 000010
【図９】
2013217955.tif 000011
【図１０】
2013217955.tif 000012
【図１１】
2013217955.tif 000013
【図１２】
2013217955.tif 000014
【図１３】
2013217955.tif 000015
【図１４】
2013217955.tif 000016
【図１５】
2013217955.tif 000017
【図１６】
2013217955.tif 000018
【図１７】
2013217955.tif 000019
【図１８】
2013217955.tif 000020
【図１９】
2013217955.tif 000021
【図２０】
2013217955.tif 000022
【図２１】
2013217955.tif 000023
【図２２】
2013217955.tif 000024
【図２３】
2013217955.tif 000025